(57)【要約】      （修正有）【課題】  ゲルボックスの表面にグリスを塗ることによって、ゲルボックス内のゲルの伸縮を抑えることができて、ゲルの特性の変化を減少できて、寿命を延ばすことができる光ピックアップにおけるサスペンスワイヤーの保持構造を提供する。【解決手段】  光ピックアップ用の対物レンズ１を保持するレンズホルダー２と、このレンズホルダー２を複数のサスペンスワイヤー３を介して上下左右に変位可能に支持するダンパーベース部４とを有し、ダンパーベース部４におけるワイヤー保持用のゲルボックス５に上下と奥側部分にグリス６を介してゲル７が配設され、このゲル７にサスペンスワイヤー３が挿入されており、グリス６の存在によってゲル７がサスペンスワイヤー３の動きに追従するように構成した。【選択図】図１
2006031739.tif 000002
【特許請求の範囲】
【請求項１】
光ピックアップ用の対物レンズを保持するレンズホルダーと、このレンズホルダーを複数のサスペンスワイヤーを介して上下左右に変位可能に支持するダンパーベース部とを有する光ピックアップにおいて、前記ダンパーベース部におけるワイヤー保持用のゲルボックスに上下と奥側部分にグリスを介してゲルが配設され、このゲルに前記サスペンスワイヤーが挿入されており、前記グリスの存在によって前記ゲルが前記サスペンスワイヤーの動きに追従するように構成したことを特徴とする光ピックアップにおけるサスペンスワイヤーの保持構造。
【請求項２】
光ピックアップ用の対物レンズを保持するレンズホルダーと、このレンズホルダーを複数のサスペンスワイヤーを介して上下左右に変位可能に支持するダンパーベース部とを有する光ピックアップにおいて、前記ダンパーベース部におけるワイヤー保持用のゲルボックスに上下と奥側部分に適度な粘性を有する粘性材を介してゲルが配設され、このゲルに前記サスペンスワイヤーが挿入されており、前記粘性材の存在によって前記ゲルが前記サスペンスワイヤーの動きに追従するように構成したことを特徴とする光ピックアップにおけるサスペンスワイヤーの保持構造。
【請求項３】
前記ゲルボックスの開口部の端部に、このゲルボックス内のゲルの外側へのはみ出しを規制するための板状体が配置されている請求項２に記載の光ピックアップにおけるサスペンスワイヤーの保持構造。
【請求項４】
前記板状体は、前記ゲルボックスの端部の開口部の上下両端に届くように配置されている請求項３に記載の光ピックアップにおけるサスペンスワイヤーの保持構造。
【請求項５】
前記板状体は、前記ゲルボックスの開口部の端部の前後方向に複数配置されている請求項４に記載の光ピックアップにおけるサスペンスワイヤーの保持構造。
【請求項６】
前記板状体は、前記ゲルボックスの開口部の端部の下端から上向きに適宜長さ位置まで配置されている請求項３に記載の光ピックアップにおけるサスペンスワイヤーの保持構造。
【発明の詳細な説明】
【技術分野】
【０００１】
本発明は、光ピックアップ用の対物レンズを保持するレンズホルダーと、このレンズホルダーを複数のサスペンスワイヤーを介して上下左右に変位可能に支持するダンパーベース部とを有する光ピックアップにおけるサスペンスワイヤーの保持構造に関するものである。
【背景技術】
【０００２】
一般に、この種の光ピックアップにおけるサスペンスワイヤーの保持構造は、図５に示すように、図５に示すように、光ピックアップ用の対物レンズ１０１を保持するレンズホルダー１０２と、このレンズホルダー１０２を複数のサスペンスワイヤー１０３を介して上下左右に変位可能に支持するダンパーベース部１０４を有している。従来は、図５、図６（ａ）（ｂ）に示すように、ダンパーベース部１０４におけるワイヤー保持用のゲルボックス１０５にゲル１０６が配設されている。このゲルボックス１０５内のゲル１０６に直接サスペンスワイヤー１０３が挿入されて、このサスペンスワイヤー１０３によってレンズホルダー１０２が上下左右に変位可能に支持されていた。
【０００３】
ところが、レンズホルダー１０２が上下左右に変位するときに、ゲル１０６内のサスペンスワイヤー１０３の動きによって、ゲル１０６がのびるところで、サスペンスワイヤー１０３からゲル１０６が離れ、その特性が変化するという問題があった。
【０００４】
第１の従来技術を図７、図８に示す。この従来の対物レンズ駆動装置は、図７、図８（ａ）（ｂ）に示すように、光ディスク面に光ビームを集光する対物レンズ２０２を保持する可動体２０４が取付支持部材に基端部側においてダンパー２１３を介して支持される少なくとも４本の線材状の弾性体２１１により弾性支持され、対物レンズ２０２を可動体２０４を介して光ディスクに対してフォーカス方向及びトラッキング方向へ駆動するようにしてなる対物レンズ駆動装置において、弾性体２１１の基端部とダンパー２１３との間に粘性材２１４を充填している。（例えば、特許文献１参照）。
【０００５】
ところが、これにおいては、弾性体２１１の基端部とダンパー２１３との間に粘性材を充填しているので、線材状の弾性体２１１の位置擦れが生じダンパー効果があまりないという問題があった。
【特許文献１】特開平５−３６１０４号公報
【発明の開示】
【発明が解決しようとする課題】
【０００６】
本発明は上記従来の問題に鑑みてなされたものであって、ゲルボックスの表面にグリスを塗ることによって、ゲルボックス内のゲルの伸縮を抑えることができて、ゲルの特性の変化を減少できて、寿命を延ばすことができる光ピックアップにおけるサスペンスワイヤーの保持構造を提供することを目的としている。
【課題を解決するための手段】
【０００７】
本発明は、上記課題を解決するために提案されたものであって、請求項１に記載の発明は、光ピックアップ用の対物レンズを保持するレンズホルダーと、このレンズホルダーを複数のサスペンスワイヤーを介して上下左右に変位可能に支持するダンパーベース部とを有する光ピックアップにおいて、前記ダンパーベース部におけるワイヤー保持用のゲルボックスに上下と奥側部分にグリスを介してゲルが配設され、このゲルに前記サスペンスワイヤーが挿入されており、前記グリスの存在によって前記ゲルが前記サスペンスワイヤーの動きに追従するように構成したことを特徴としている。
【０００８】
請求項２に記載の発明は、光ピックアップ用の対物レンズを保持するレンズホルダーと、このレンズホルダーを複数のサスペンスワイヤーを介して上下左右に変位可能に支持するダンパーベース部とを有する光ピックアップにおいて、前記ダンパーベース部におけるワイヤー保持用のゲルボックスに上下と奥側部分に適度な粘性を有する粘性材を介してゲルが配設され、このゲルに前記サスペンスワイヤーが挿入されており、前記粘性材の存在によって前記ゲルが前記サスペンスワイヤーの動きに追従するように構成したことを特徴としている。
【０００９】
請求項３に記載の発明は、前記ゲルボックスの開口部の端部に、このゲルボックス内ののゲルと粘性体の外側へのはみ出しを規制するための板状体が配置されている。
【００１０】
請求項４に記載の発明は、前記板状体は、前記ゲルボックスの端部の開口部の上下両端に届くように配置されている。
【００１１】
請求項５に記載の発明は、前記板状体は、前記ゲルボックスの開口部の端部の前後方向に複数配置されている。
【００１２】
請求項６に記載の発明は、前記板状体は、前記ゲルボックスの開口部の端部の下端から上向きに適宜長さ位置まで配置されている。
【発明の効果】
【００１３】
請求項１に記載の発明によれば、ゲルボックスに上下と奥側部分にグリスを介してゲルが配設されているので、グリスの存在によってゲルがサスペンスワイヤーの動きに追従されて、ゲルボックス内のゲルの伸縮を抑えることができて、ゲルの特性の変化を減少できて、寿命を延ばすことができる。
【００１４】
請求項２に記載の発明によれば、ゲルボックスに上下と奥側部分に粘性材を介してゲルが配設されているで、粘性材の存在によってゲルがサスペンスワイヤーの動きに追従されて、ゲルボックス内のゲルの伸縮を抑えることができて、粘性材の特性の変化を減少できて、寿命を延ばすことができる。
【００１５】
請求項３に記載の発明によれば、ゲルボックスの開口部の端部に、このゲルボックス内の粘性材とゲルの外側へのはみ出しを規制するための板状体が配置されているので、この板状体によって、ゲルボックス内の粘性体とゲルとが外側に飛び出すことを防ぐことができる。
【００１６】
請求項４に記載の発明によれば、板状体が、ゲルボックスの端部の開口部の上下両端に届くように配置されているので、ゲルボックス内の粘性体とゲルとが外側に飛び出すことを完全に防ぐことができる。
【００１７】
請求項５に記載の発明によれば板状体は、ゲルボックスの開口部の端部の前後方向に複数配置されているので、ゲルボックス内の粘性体とゲルとが外側に飛び出すことをより一層防ぐことができる。
【００１８】
請求項６に記載の発明によれば、板状体が、ゲルボックスの開口部の端部の下端から上向きに適宜長さ位置まで配置されているので、ゲルボックス内の粘性体とゲルとが外側に飛び出すことを防ぐことができる。また、板状体の大きさを若干小さくすることができて、材料費を少なくすることができる。
【発明を実施するための最良の形態】
【００１９】
以下、本発明に係る光ピックアップにおけるサスペンスワイヤーの保持構造の実施の形態について、図を参照しつつ説明する。
【００２０】
図１は本発明の第１実施形態の光ピックアップにおけるサスペンスワイヤーの保持構造を示す斜視図、図２は同構造におけるゲルボックス部分を示し、（ａ）はそのサスペンスワイヤーが通常の状態にある部分拡大正面図、（ｂ）はそのサスペンスワイヤーがゲルボックス内で若干上側に移動した状態の部分拡大正面図である。
【００２１】
この第１実施形態の光ピックアップにおけるサスペンスワイヤーの保持構造は、図１に示すように、光ピックアップ用の対物レンズ１を保持するレンズホルダー２を、複数のサスペンスワイヤー３を介して上下左右に変位可能に支持するダンパーベース部４とを有している。更に、図２（ａ）にも示すように、このダンパーベース部４におけるワイヤー保持用のゲルボックス５に上下と奥側部分にグリス６を介してゲル７が配設されている。このゲル７にサスペンスワイヤー３が挿入されている。
【００２２】
従って、この第１実施形態によれば、グリス７の存在によってゲルがサスペンスワイヤーの動きに追従される。即ち、図２（ｂ）に示すように、サスペンスワイヤー３が上向きに動くとグリス６の上側にゲル７が食い込んでその位置が変化するので、ゲルボックス５内のゲル７の伸縮を抑えることができて、ゲル７の特性の変化を減少できて、寿命を延ばすことができる。
【００２３】
図３は第２実施形態の光ピックアップにおけるサスペンスワイヤーの保持構造を示し、（ａ）はその部分斜視図、（ｂ）はその部分拡大正面図である。
【００２４】
この第２実施形態の光ピックアップにおけるサスペンスワイヤーの保持構造は、図３（ａ）（ｂ）に示すように、ゲルボックス５の複数の開口部５ａの端部に、２枚の板状体８、８がそれぞれ配置されている。
【００２５】
従って、この第２実施形態によれば、２枚の板状体８、８でゲル７とグリス６とが外側にはみ出すことが規制されているので、ゲルボックス５内のグリス６とゲル７とが外側に飛び出すことを防ぐことができる。
【００２６】
図４は第３実施形態の光ピックアップにおけるサスペンスワイヤーの保持構造の部分拡大正面図である。
【００２７】
この第３実施形態の光ピックアップにおけるサスペンスワイヤーの保持構造は、図４に示すように、板状体８Ａが、ゲルボックス５の開口部５ａの端部の下端から上向きに適宜長さ位置まで配置されている。従って、この第３実施形態によれば、ゲルボックス５内のグリス６とゲル７とが外側に飛び出すことを防ぐことができる。また、板状体８Ａの大きさを若干小さくすることができて、材料費を少なくすることができる。
【００２８】
尚、グリス６の代わりに適度な粘性を有する他の粘性体を用いてもよいことは勿論である。
【図面の簡単な説明】
【００２９】
【図１】本発明の第１実施形態の光ピックアップにおけるサスペンスワイヤーの保持構造を示す斜視図である。
【図２】同構造におけるゲルボックス部分を示し、（ａ）はそのサスペンスワイヤーが通常の状態にある部分拡大正面図、（ｂ）はそのサスペンスワイヤーがゲルボックス内で若干上側に移動した状態の部分拡大正面図である。
【図３】第２実施形態の光ピックアップにおけるサスペンスワイヤーの保持構造を示し、（ａ）はその部分斜視図、（ｂ）はその部分拡大正面図である。
【図４】第３実施形態の光ピックアップにおけるサスペンスワイヤーの保持構造の部分拡大正面図である。
【図５】従来の光ピックアップにおけるサスペンスワイヤーの保持構造を示す斜視図である。
【図６】同構造におけるゲルボックス部分を示し、（ａ）はそのサスペンスワイヤーが通常の状態にある部分拡大正面図、（ｂ）はそのサスペンスワイヤーがゲルボックス内で若干上側に移動した状態の部分拡大正面図である。
【図７】従来の対物レンズ駆動装置の全体の斜視図である。
【図８】同装置のワイヤーとダンパーとの拡大断面図である。
【符号の説明】
【００３０】
１        光ピックアップ用の対物レンズ
２        レンズホルダー
３        サスペンスワイヤー
４        ダンパーベース部
５        ゲルボックス
５ａ      開口部
６        グリス
７        ゲル
８        板状体
８Ａ      板状体
【図１】
2006031739.tif 000003
【図２】
2006031739.tif 000004
【図３】
2006031739.tif 000005
【図４】
2006031739.tif 000006
【図５】
2006031739.tif 000007
【図６】
2006031739.tif 000008
【図７】
2006031739.tif 000009
【図８】
2006031739.tif 000010